(57)【特許請求の範囲】
【請求項１】
データ交換装置と、前記データ交換装置とデータ通信可能な複数の端末と、を含むデータ交換システムにおいて、
前記複数の端末はそれぞれ、
プレイヤを識別するプレイヤ識別情報と、交換データと、を送信する交換データ送信手段を含み、
前記データ交換装置は、
前記プレイヤ識別情報と、前記交換データと、を受信する交換データ受信手段と、
前記交換データ受信手段によって受信されるプレイヤ識別情報と交換データとを対応づけて記憶する交換データ記憶手段と、
前記交換データ記憶手段に記憶される交換データのうちそれぞれ少なくとも１つを交換元及び交換先とする交換組合せを設定する交換組合せ設定手段と、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、
前記承諾指示手段によって指示される交換組合せに対する承諾結果が当該交換組合せを承諾しないことを示す場合、当該交換組合せに係る交換元の交換データの内容を変更する交換データ変更手段と、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含み、
前記複数の端末はそれぞれ、
前記交換済みデータ送信手段によって送信される交換データを受信する交換済みデータ受信手段をさらに含み、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信し、
前記複数の端末はそれぞれ、前記交換データに基づく処理を、当該交換データに含まれる属性情報に基づいて実行する処理実行手段をさらに含む、
ことを特徴とするデータ交換システム。
【請求項２】
データ交換装置と、前記データ交換装置とデータ通信可能な複数の端末と、を含むデータ交換システムにおいて、
前記複数の端末はそれぞれ、
プレイヤを識別するプレイヤ識別情報と、交換データと、を送信する交換データ送信手段を含み、
前記データ交換装置は、
前記プレイヤ識別情報と、前記交換データと、を受信する交換データ受信手段と、
前記交換データ受信手段によって受信されるプレイヤ識別情報と交換データとを対応づけて記憶する交換データ記憶手段と、
前記交換データ記憶手段に記憶される交換データのうち少なくとも１つを交換先候補として設定する交換先候補設定手段と、
前記交換データに対応づけて、当該交換データが前記交換先候補設定手段によって交換先候補として設定された日時に基づく日時情報を記憶する日時情報記憶手段と、
前記交換データ記憶手段に交換先候補として記憶される交換データのうち少なくとも１つを交換先と、前記交換データ記憶手段に記憶される交換データのうち少なくとも１つを交換元と、する交換組合せを設定する交換組合せ設定手段と、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、
前記承諾指示手段によって指示される交換組合せに対する承諾結果に基づいて、当該交換組合せに係る交換元の交換データと交換先の交換データとのうち少なくとも一方の内容を変更する交換データ変更手段と、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含み、
前記複数の端末はそれぞれ、
前記交換済みデータ送信手段によって送信される交換データを受信する交換済みデータ受信手段をさらに含み、
前記交換データ変更手段は、前記交換データ記憶手段に記憶される交換データについて、当該交換データに対応づけて前記日時情報記憶手段に記憶される日時情報に基づいて、当該交換データの内容を変更する手段を含み、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信し、
前記複数の端末はそれぞれ、前記交換データに基づく処理を、当該交換データに含まれる属性情報に基づいて実行する処理実行手段をさらに含む、
ことを特徴とするデータ交換システム。
【請求項３】
請求項１又は２に記載のデータ交換システムにおいて、
前記交換データは、ゲームキャラクタデータ又はゲームアイテムデータであって、当該ゲームキャラクタデータ又は当該ゲームアイテムデータの属性情報を含み、
前記交換データ変更手段は、前記ゲームキャラクタデータ又は前記ゲームアイテムデータに含まれる属性情報を変更し、
前記複数の端末はそれぞれ、
前記ゲームキャラクタデータ又は前記ゲームアイテムデータを記憶するゲームデータ記憶手段と、
前記交換データ変更手段による変更内容に基づいて、前記ゲームデータ記憶手段の記憶内容を更新するゲームデータ更新手段と、をさらに含み、
前記処理実行手段は、
前記ゲームデータ記憶手段に記憶されるゲームキャラクタデータ又はゲームアイテムデータに基づいてゲーム処理を実行するゲーム処理実行手段と、
前記ゲームデータ記憶手段に記憶されるゲームキャラクタデータ又はゲームアイテムデータに含まれる属性情報に基づいて、前記ゲーム処理実行手段によるゲーム処理の実行を制限するゲーム処理制限手段と、を含む、
ことを特徴とするデータ交換システム。
【請求項４】
プレイヤ識別情報と、交換データと、を受信する交換データ受信手段と、
前記交換データ受信手段によって受信されるプレイヤ識別情報と交換データとを対応づけて記憶する交換データ記憶手段と、
前記交換データ記憶手段に記憶される交換データのうちそれぞれ少なくとも１つを交換元及び交換先とする交換組合せを設定する交換組合せ設定手段と、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、
前記承諾指示手段によって指示される交換組合せに対する承諾結果が当該交換組合せを承諾しないことを示す場合、当該交換組合せに係る交換元の交換データの内容を変更する交換データ変更手段と、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含み、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信する、
ことを特徴とするデータ交換装置。
【請求項５】
交換データ受信手段が、プレイヤを識別するプレイヤ識別情報と、交換データと、を受信するための交換データ受信ステップと、
交換データ記憶手段に記憶させる手段が、前記交換データ受信ステップにおいて受信されるプレイヤ識別情報と交換データとを対応づけて交換データ記憶手段に記憶させるためのステップと、
交換組合せ設定手段が、前記交換データ記憶手段に記憶される交換データのうちそれぞれ少なくとも１つを交換元及び交換先とする交換組合せを設定するための交換組合せ設定ステップと、
承諾指示手段が、前記交換組合せに係る交換先の交換データに対応づけて前記交換データ記憶手段に記憶されるプレイヤ識別情報によって識別されるプレイヤに対し、当該交換組合せを承諾するか否かを指示するための承諾指示ステップと、
交換データ変更手段が、前記承諾指示ステップにおいて指示される交換組合せに対する承諾結果が当該交換組合せを承諾しないことを示す場合、当該交換組合せに係る交換元の交換データの内容を変更するための交換データ変更ステップと、
交換済みデータ送信手段が、前記承諾指示ステップにおいて指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信するための交換済みデータ送信ステップと、を含み、
前記交換データは、当該交換データの属性情報を含み、
前記交換データ変更ステップでは、前記交換データの内容を変更する場合、当該交換データに含まれる属性情報を変更し、
前記交換済みデータ送信ステップでは、前記交換データ変更ステップにおいて変更された交換データを送信する、
ことを特徴とするデータ交換装置の制御方法。
【請求項６】
プレイヤ識別情報と、交換データと、を受信する交換データ受信手段、
前記交換データ受信手段によって受信されるプレイヤ識別情報と交換データとを対応づけて記憶する交換データ記憶手段、
前記交換データ記憶手段に記憶される交換データのうちそれぞれ少なくとも１つを交換元及び交換先とする交換組合せを設定する交換組合せ設定手段、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段、
前記承諾指示手段によって指示される交換組合せに対する承諾結果が当該交換組合せを承諾しないことを示す場合、当該交換組合せに係る交換元の交換データの内容を変更する交換データ変更手段、及び、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段、
としてコンピュータを機能させるためのプログラムであって、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信する、
ことを特徴とするプログラム。
【請求項７】
プレイヤ識別情報と、交換データと、を受信する交換データ受信手段と、
前記交換データ受信手段によって受信されるプレイヤ識別情報と交換データとを対応づけて記憶する交換データ記憶手段と、
前記交換データ記憶手段に記憶される交換データのうち少なくとも１つを交換先候補として設定する交換先候補設定手段と、
前記交換データに対応づけて、当該交換データが前記交換先候補設定手段によって交換先候補として設定された日時に基づく日時情報を記憶する日時情報記憶手段と、
前記交換データ記憶手段に交換先候補として記憶される交換データのうち少なくとも１つを交換先と、前記交換データ記憶手段に記憶される交換データのうち少なくとも１つを交換元と、する交換組合せを設定する交換組合せ設定手段と、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、
前記承諾指示手段によって指示される交換組合せに対する承諾結果に基づいて、当該交換組合せに係る交換元の交換データと交換先の交換データとのうち少なくとも一方の内容を変更する交換データ変更手段と、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含み、
前記交換データ変更手段は、前記交換データ記憶手段に記憶される交換データについて、当該交換データに対応づけて前記日時情報記憶手段に記憶される日時情報に基づいて、当該交換データの内容を変更する手段を含み、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信する、
ことを特徴とするデータ交換装置。
【請求項８】
交換データ受信手段が、プレイヤを識別するプレイヤ識別情報と、交換データと、を受信するための交換データ受信ステップと、
交換データ記憶手段に記憶させる手段が、前記交換データ受信ステップにおいて受信されるプレイヤ識別情報と交換データとを対応づけて交換データ記憶手段に記憶させるためのステップと、
交換先候補設定手段が、前記交換データ記憶手段に記憶される交換データのうち少なくとも１つを交換先候補として設定するためのステップと、
日時情報記憶手段に記憶させる手段が、前記交換データに対応づけて、当該交換データが前記交換先候補設定ステップにおいて交換先候補として設定された日時に基づく日時情報を日時情報記憶手段に記憶させるためのステップと、
交換組合せ設定手段が、前記交換データ記憶手段に交換先候補として記憶される交換データのうち少なくとも１つを交換先と、前記交換データ記憶手段に記憶される交換データのうち少なくとも１つを交換元と、する交換組合せを設定するための交換組合せ設定ステップと、
承諾指示手段が、前記交換組合せに係る交換先の交換データに対応づけて前記交換データ記憶手段に記憶されるプレイヤ識別情報によって識別されるプレイヤに対し、当該交換組合せを承諾するか否かを指示するための承諾指示ステップと、
交換データ変更手段が、前記承諾指示ステップにおいて指示される交換組合せに対する承諾結果に基づいて、当該交換組合せに係る交換元の交換データと交換先の交換データとのうち少なくとも一方の内容を変更するための交換データ変更ステップと、
交換済みデータ送信手段が、前記承諾指示ステップにおいて指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信するための交換済みデータ送信ステップと、を含み、
前記交換データ変更ステップには、前記交換データ記憶手段に記憶される交換データについて、当該交換データに対応づけて前記日時情報記憶手段に記憶される日時情報に基づいて、当該交換データの内容を変更するためのステップが含まれ、
前記交換データは、当該交換データの属性情報を含み、
前記交換データ変更ステップでは、前記交換データの内容を変更する場合、当該交換データに含まれる属性情報を変更し、
前記交換済みデータ送信ステップでは、前記交換データ変更ステップにおいて変更された交換データを送信する、
ことを特徴とするデータ交換装置の制御方法。
【請求項９】
プレイヤ識別情報と、交換データと、を受信する交換データ受信手段、
前記交換データ受信手段によって受信されるプレイヤ識別情報と交換データとを対応づけて記憶する交換データ記憶手段、
前記交換データ記憶手段に記憶される交換データのうち少なくとも１つを交換先候補として設定する交換先候補設定手段と、
前記交換データに対応づけて、当該交換データが前記交換先候補設定手段によって交換先候補として設定された日時に基づく日時情報を記憶する日時情報記憶手段と、
前記交換データ記憶手段に交換先候補として記憶される交換データのうち少なくとも１つを交換先と、前記交換データ記憶手段に記憶される交換データのうち少なくとも１つを交換元と、する交換組合せを設定する交換組合せ設定手段、
前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段、
前記承諾指示手段によって指示される交換組合せに対する承諾結果に基づいて、当該交換組合せに係る交換元の交換データと交換先の交換データとのうち少なくとも一方の内容を変更する交換データ変更手段、及び、
前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段、
としてコンピュータを機能させるためのプログラムであって、
前記交換データ変更手段は、前記交換データ記憶手段に記憶される交換データについて、当該交換データに対応づけて前記日時情報記憶手段に記憶される日時情報に基づいて、当該交換データの内容を変更する手段を含み、
前記交換データは、当該交換データの属性情報を含み、
前記交換データ変更手段は、前記交換データの内容を変更する場合、当該交換データに含まれる属性情報を変更し、
前記交換済みデータ送信手段は、前記交換データ変更手段によって変更された交換データを送信する、
ことを特徴とするプログラム。
【発明の詳細な説明】
【０００１】
【発明の属する技術分野】
本発明は、データ交換システム、データ交換装置、その制御方法及びプログラムに関する。
【０００２】
【背景技術】
ネットワークを介してデータを交換するシステムが知られている。このようなシステムによると、プレイヤは他のプレイヤとデータを交換することができる。
【０００３】
【発明が解決しようとする課題】
しかしながら、このようなシステムでは、プレイヤ間での合意が成立した後、データの交換を実行する段階では、両プレイヤの端末がともにネットワークに接続されていなければならないのが一般的である。このため、プレイヤ間におけるデータ交換は円滑なものとなっていない。
【０００４】
本発明は上記課題に鑑みてなされたものであって、その目的は、プレイヤ間におけるデータの交換を円滑化することができるようになるデータ交換システムを提供することにある。
【０００５】
【課題を解決するための手段】
上記課題を解決するために、本発明に係るデータ配信システムは、データ交換装置と、前記データ交換装置とデータ通信可能な複数の端末と、を含むデータ交換システムにおいて、前記複数の端末はそれぞれ、プレイヤを識別するプレイヤ識別情報と、交換データと、を送信する交換データ送信手段を含み、前記データ交換装置は、前記プレイヤ識別情報と、前記交換データと、を受信する交換データ受信手段と、前記交換データ受信手段によって受信されるプレイヤ識別情報と交換データとを対応づけて記憶する交換データ記憶手段と、前記交換データ記憶手段に記憶される交換データのうちそれぞれ少なくとも１つを交換元及び交換先とする交換組合せを設定する交換組合せ設定手段と、前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含み、前記複数の端末はそれぞれ、前記送信済みデータ送信手段によって送信される交換データを受信する交換済みデータ受信手段をさらに含む、ことを特徴とする。
【０００６】
また、本発明に係るデータ配信装置は、プレイヤを識別するプレイヤ識別情報と、交換データと、を受信する交換データ受信手段と、前記交換データ受信手段によって受信されるプレイヤ識別情報と交換データとを対応づけて記憶する交換データ記憶手段と、前記交換データ記憶手段に記憶される交換データのうちそれぞれ少なくとも１つを交換元及び交換先とする交換組合せを設定する交換組合せ設定手段と、前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段と、前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段と、を含むことを特徴とする。
【０００７】
また、本発明に係るデータ配信装置の制御方法は、プレイヤを識別するプレイヤ識別情報と、交換データと、を受信するための交換データ受信ステップと、前記交換データ受信ステップにおいて受信されるプレイヤ識別情報と交換データとを対応づけて交換データ記憶手段に記憶させるためのステップと、前記交換データ記憶手段に記憶される交換データのうちそれぞれ少なくとも１つを交換元及び交換先とする交換組合せを設定するための交換組合せ設定ステップと、前記交換組合せに係る交換先の交換データに対応づけて前記交換データ記憶手段に記憶されるプレイヤ識別情報によって識別されるプレイヤに対し、当該交換組合せを承諾するか否かを指示するための承諾指示ステップと、前記承諾指示ステップにおいて指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信するための交換済みデータ送信ステップと、を含むことを特徴とする。
【０００８】
また、本発明に係るプログラムは、プレイヤを識別するプレイヤ識別情報と、交換データと、を受信する交換データ受信手段、前記交換データ受信手段によって受信されるプレイヤ識別情報と交換データとを対応づけて記憶する交換データ記憶手段、前記交換データ記憶手段に記憶される交換データのうちそれぞれ少なくとも１つを交換元及び交換先とする交換組合せを設定する交換組合せ設定手段、前記交換組合せに係る交換先の交換データに対応づけて前記交換データ記憶手段に記憶されるプレイヤ識別情報によって識別されるプレイヤに対し、当該交換組合せを承諾するか否かを指示する承諾指示手段、及び、前記承諾指示手段によって指示される交換組合せに対する承諾結果に基づいて、当該交換組合せに係る交換先の交換データを、当該交換組合せに係る交換元の交換データに対応づけて前記交換データ記憶手段に記憶されるプレイヤ識別情報によって識別されるプレイヤの端末に、当該交換組合せに係る交換元の交換データを、当該交換組合せに係る交換先の交換データに対応づけて前記交換データ記憶手段に記憶されるプレイヤ識別情報によって識別されるプレイヤの端末に、それぞれ送信する交換済みデータ送信手段、として、例えばサーバコンピュータやパーソナルコンピュータ等の前記コンピュータを機能させるためのプログラムである。
【０００９】
本発明によれば、データ交換装置では、端末から送信されるプレイヤ識別情報と交換データとが対応づけて記憶される。記憶される交換データのうち少なくとも１つを交換先と、記憶される交換データのうち少なくとも１つを交換元とする交換組合せが設定される。交換組合せが設定されると、交換組合せに係る交換先の交換データに係るプレイヤに対し、当該当該交換組合せを承諾するか否かを指示させる。そして、交換組合せに対する承諾結果に基づいて、交換組合せに係る交換先の交換データが、交換元の交換データに係るプレイヤの端末に、交換組合せに係る交換元の交換データが、交換先の交換データに係るプレイヤの端末に、それぞれ送信される。このため、交換が成立すると（交換組合せが承諾されると）、プレイヤは任意のタイミングで（例えば、交換組合せが承諾されてすぐに）、交換によってデータを入手できるようになる。すなわち、プレイヤ間のデータ交換が円滑に行われるようになる。
【００１０】
また、本発明の一態様では、前記データ交換装置は、前記承諾指示手段によって指示される交換組合せに対する承諾結果に基づいて、当該交換組合せに係る交換元の交換データと交換先の交換データとのうち少なくとも一方の内容を変更する交換データ変更手段を含み、前記交換済みデータ送信手段は、前記交換データ変更手段によって変更された交換データを送信する、ことを特徴とする。こうすれば、交換組合せに対する承諾結果に基づいて、当該交換組合せに係る交換データの内容が変更されるようになる。このため、データ交換の面白さを向上させることができるようになる。
【００１１】
また、本発明の一態様では、前記交換データ変更手段は、前記承諾指示手段によって指示される交換組合せに対する承諾結果が当該交換組合せを承諾しないことを示す場合、当該交換組合せに係る交換元の交換データの内容を変更することを特徴とする。こうすれば、データ交換において、交換を断られた側の交換データの内容が変更されるようになる。このため、データ交換の面白さを向上させることができるようになる。
【００１２】
また、本発明の一態様では、前記データ交換装置は、前記交換データ記憶手段に記憶される交換データのうち少なくとも１つを交換先候補として設定する交換先候補設定手段と、前記交換データに対応づけて、当該交換データが前記交換先候補設定手段によって交換先候補として設定された日時に基づく日時情報を記憶する日時情報記憶手段と、をさらに含み、前記交換組合せ設定手段は、前記交換データ記憶手段に交換先候補として記憶される交換データのうち少なくとも１つを交換先と、前記交換データ記憶手段に記憶される交換データのうち少なくとも１つを交換元と、する交換組合せを設定し、前記交換データ変更手段は、前記交換データ記憶手段に記憶される交換データについて、当該交換データに対応づけて前記日時情報記憶手段に記憶される日時情報に基づいて、当該交換データの内容を変更する手段を含む、ことを特徴とする。こうすれば、交換先候補として設定された日時に基づいて、交換データの内容を変更することができるようになる。
【００１３】
また、本発明の一態様では、前記交換データは、当該交換データの属性情報を含み、前記交換データ変更手段は、前記交換データの内容を変更する場合、当該交換データに含まれる属性情報を変更し、前記複数の端末はそれぞれ、前記交換データに基づく処理を、当該交換データに含まれる属性情報に基づいて実行する処理実行手段を含む、ことを特徴とする。こうすれば、交換組合せに対する承諾結果に基づいて、交換組合せに係る交換データの属性情報が変更され、端末において実行される当該交換データに基づく処理内容が変更されるようになる。このため、データ交換の面白さを向上させることができるようになる。
【００１４】
また、本発明の一態様では、前記交換データは、ゲームキャラクタデータ又はゲームアイテムデータであって、当該ゲームキャラクタデータ又は当該ゲームアイテムデータの属性情報を含み、前記交換データ変更手段は、前記ゲームキャラクタデータ又は前記ゲームアイテムデータに含まれる属性情報を変更し、前記複数の端末はそれぞれ、前記ゲームキャラクタデータ又は前記ゲームアイテムデータを記憶するゲームデータ記憶手段と、前記交換データ変更手段による変更内容に基づいて、前記ゲームデータ記憶手段の記憶内容を更新するゲームデータ更新手段と、をさらに含み、前記処理実行手段は、前記ゲームデータ記憶手段に記憶されるゲームキャラクタデータ又はゲームアイテムデータに基づいてゲーム処理を実行するゲーム処理実行手段と、前記ゲームデータ記憶手段に記憶されるゲームキャラクタデータ又はゲームアイテムデータに含まれる属性情報に基づいて、前記ゲーム処理実行手段によるゲーム処理の実行を制限するゲーム処理制限手段と、を含む、ことを特徴とする。こうすれば、交換組合せに対する承諾結果に基づいて、交換組合せに係るゲームキャラクタデータ又はゲームアイテムデータの属性情報が変更され、端末におけるゲーム実行処理の内容が変更されるようになる。このため、データ交換の面白さを向上させることができるようになる。
【００１５】
【発明の実施の形態】
以下、本発明の好適な実施形態について図面に基づき詳細に説明する。
【００１６】
図１は、本発明の実施形態に係るゲームシステム（データ交換システム）１０の全体構成を示す図である。同図に示すゲームシステム１０は、携帯電話機（端末）１２と、携帯電話基地局１４と、データ通信ネットワーク１６と、ゲームデータ管理装置（データ交換装置）１８と、を含んで構成されている。ゲームデータ管理装置１８は、ゲームサーバ２０と、ゲームデータベース（ＤＢ）２２と、を含んで構成されている。
【００１７】
携帯電話機１２は、ＬＣＤ等を用いて構成されたディスプレイ２４と、方向キー２６と、ファンクションボタン２８と、丸ボタン群２９と、を含んでいる。携帯電話機１２は従来公知のものであり、丸ボタン群２９でダイヤル入力が可能であり、ディスプレイ２４には電話帳や各種設定メニューが表示される。各種設定は方向キー２６及びファンクションボタン２８により行う。
【００１８】
また、この携帯電話機１２は、ＣＰＵやメモリを備えたコンピュータを含んで構成されており、特に携帯電話基地局１４を介してインターネット等のデータ通信ネットワーク１６に接続する機能が備えられている。本実施の形態では、このネットワーク接続機能を利用する。すなわち、携帯電話機１２のユーザは、方向キー２６、ファンクションボタン２８、丸ボタン群２９を用いてＵＲＬ（Uniform Resource Locator）をデータ通信ネットワーク１６に送出し、そのＵＲＬに対応するＨＴＭＬ（Hyper Text Markup Language）データをゲームサーバ２０から取得する。そして、携帯電話機１２は、このデータを受信すると、それに基づいて各種情報をディスプレイ２４に表示する。
【００１９】
また、携帯電話機１２は、上記のようにしてゲームサーバ２０にアクセスした後、ゲームデータベース２２に記憶されているゲームプログラムをゲームサーバ２０からダウンロードすることができるようになっている。そして、こうしてダウンロードされるゲームプログラムを実行して、携帯電話機１２のユーザにゲームをプレイさせることができるようになっている。なお、ダウンロードされたゲームプログラムは、携帯電話機１２に保存されるようになっている。また、ゲームプログラムは、あらかじめ携帯電話機１２に記憶されている場合もある。このような場合、携帯電話機１２のユーザは、ゲームサーバ２０からゲームプログラムを（再度）ダウンロードすることなく、このゲームプログラムを実行してゲームをプレイすることができる。以下、ゲームプログラムの内容について説明する。
【００２０】
本実施形態では、このゲームプログラムによって、ロールプレイングゲームが実現されるようになっている。このゲームでは、プレイヤ（又はプレイヤゲームキャラクタ）は世界中から仲間を探し、その仲間によって自分の本拠地（街）を発展させてゆく。
【００２１】
具体的には、このゲームでは、ゲームスタート時に数名の仲間が用意されている。そして、まずは他の仲間に関する情報を収集する。他の仲間に関する情報を入手すると、その仲間を迎え入れるため、パーティーを編成して派遣する。そして、首尾よく新たな仲間を本拠地に迎え入れることに成功すると、本拠地が発展するようになっている。本拠地が発展する様子はディスプレイ２４に表示される本拠地画像によって任意のタイミングで確認できるようになっている。
【００２２】
また、このゲームでは、情報収集や仲間捜索の他に、アイテム捜索や魔物討伐等の冒険が用意されている。これらの冒険には、最大６人編成のパーティーを派遣する。このとき、同時に複数のパーティーを同一又は異なる目的地に向けて冒険に出発させることもできるようになっている。パーティーを冒険に出発させると、その後は冒険が自動進行するようになっている。冒険に派遣されたパーティーが本拠地に無事に帰還すると、そのパーティーの構成員に係る経験値やレベル等のパラメータが変化するようになっている。
【００２３】
さらに、ゲームシステム１０では、ゲームキャラクタ（ゲームキャラクタデータ）を交換（トレード）するためのウェブサイト（以下、交換サイト）が用意されている。この交換サイトは、ゲームデータ管理装置１８によって提供される。プレイヤは交換サイトにアクセスすることによって、自分が仲間にして成長させたゲームキャラクタのデータを他のプレイヤが仲間にして成長させたゲームキャラクタのデータと交換できるようになっている。以下、ゲームシステム１０のゲームキャラクタデータ交換機能について説明する。
【００２４】
図２乃至図１３は、携帯電話機１２のディスプレイ２４に表示される画面を示す図である。図２乃至図６は、携帯電話機１２で実行されるゲームプログラムによってディスプレイ２４に表示されるゲーム画面を示す図である。図７乃至図１３は、交換サイトにアクセスした場合に、ディスプレイ２４に表示される画面を示すである。
【００２５】
図２は、本実施形態に係るゲームのメインメニュー画面を示す図である。このメインメニュー画面は、本実施形態に係るゲームプログラムによってディスプレイ２４に表示されるものであり、同画面においてプレイヤは、「情報」、「現状」、「冒険」及び「その他」の各コマンドを、方向キー２６等を用いて選択できるようになっている。そして、プレイヤが「情報」コマンドを選択すると図３に示すサブメニュー画面が、「現状」コマンドを選択すると図４に示すサブメニュー画面が、「冒険」コマンドを選択すると図５に示すサブメニュー画面が、「その他」コマンドを選択すると図６に示すサブメニュー画面が、それぞれディスプレイ２４に表示されるようになっている。これらの画面も、本実施形態に係るゲームプログラムによって表示される。
【００２６】
図３に示されるサブメニュー画面（情報）では、プレイヤが新たな仲間やアイテムの所在等に関する情報を入手するためのコマンド群が表示されている。このうち「噂」コマンドは、信憑度の低い情報を入手するためのコマンドである。「依頼」コマンドは、他のゲームキャラクタからの冒険の依頼を受けるためのコマンドである。但し、冒険の依頼は、特定の条件に従って限定的に発生するようになっている。「情報屋」コマンドは、こちらから料金を支払って、情報を入手するためのコマンドである。また、「占い」コマンドは、あいまいで不確実な情報を安価に入手するためのコマンドである。
【００２７】
図４に示されるサブメニュー画面（現状）では、各種状況を取得するためのコマンド群が表示されている。このうち「本拠地」コマンドは、本拠地に関する兵力、商業、農業、漁業、工業の発展度をランク表示させるためのコマンドである。なお、兵力や商業等の発展度は、仲間であるゲームキャラクタの職業属性（戦士、商人、軍師、傭兵、アルバイト、酪農家、漁師等）によって算出されるようになっている。「キャラクター」コマンドは、仲間となった各キャラクターのデータを表示させるためのコマンドである。「目安箱」コマンドは、仲間から寄せられた本拠地に関する意見を表示させるためのコマンドである。「外交」コマンドは、他のプレイヤと情報交換するためのコマンドである。
【００２８】
図５に示されるサブメニュー画面（冒険）では、冒険に関するコマンド群が表示されている。このうち「新編成」コマンドは、仲間から最大６人を選んで新たにパーティーを編成するためのコマンドである。「変更」コマンドは、既に編成しているパーティーの編成内容を変更するためのコマンドである。「出発」コマンドは、目的地、行動を指定して、既に編成しているパーティーのうち指定した１つを冒険に出発させるためのコマンドである。「現在状況報告」コマンドは、冒険中のパーティーから現在状況の報告を受けるためのコマンドである。
【００２９】
図６に示されるサブメニュー画面（その他）では、設定変更などのコマンド群が表示されている。このうち「ガイド」コマンドは、簡単なプレイ説明を表示させるためのコマンドである。「アラーム」コマンドは、アラーム出力時刻を設定するためのコマンドである。ここで設定した時刻が到来すると、仲間のゲームキャラクタが時刻到来を知らせるようになっている。「交易所」コマンドは、自分が仲間にしたゲームキャラクタを他のプレイヤが仲間にしたゲームキャラクタと交換するためのコマンドである。具体的には、「交易所」コマンドは、携帯電話機１２に記憶されるゲームキャラクタデータを交換対象データ（交換データ）としてゲームデータ管理装置１８にアップロードするためのコマンドである。また、ゲームデータ管理装置１８において交換対象データとして管理されるゲームキャラクタデータを携帯電話機１２にダウンロードするためのコマンドである。また、「設定」コマンドは、音や待ち受け表示等の設定を変更するためのコマンドである。
【００３０】
以上のメインメニュー画面及びサブメニュー画面においてコマンドを投入して、各プレイヤは仲間のゲームキャラクタを増やしていく。そして、以下に説明するゲームキャラクタ（ゲームキャラクタデータ）の交換サイトにアクセスし、各プレイヤは自分が仲間にしたゲームキャラクタのデータを他のプレイヤが仲間にしたゲームキャラクタのデータと交換する。なお、プレイヤは、交換サイトでゲームキャラクタデータの交換を行うために、携帯電話機１２に保存されるゲームキャラクタデータをゲームデータ管理装置１８にアップロードしておく必要がある（図６参照）。
【００３１】
図７は、本実施形態に係る交換サイトのメニュー画面を示す図である。このメニュー画面は、ゲームサーバ２０からダウンロードされるＨＴＭＬデータによってディスプレイ２４に表示されるものである。同画面には、「トレード放出」、「トレード申込」及び「トレード承諾」の各リンクボタンが表示されている。同画面においてプレイヤは、これらのリンクボタンを方向キー２６等を用いて選択できるようになっている。プレイヤがこれらのリンクボタンを選択すると、そのリンクボタンに対応するＨＴＭＬデータがゲームサーバ２０からダウンロードされる。そして、選択されたリンクボタンに対応する画面が、ダウンロードされるＨＴＭＬデータによってディスプレイ２４に表示される。具体的には、プレイヤが「トレード放出」リンクボタンを選択すると図８に示すトレード放出画面が、「トレード申込」リンクボタンを選択すると図１０に示すトレード申込画面が、「トレード承諾」リンクボタンを選択すると図１２に示すようなトレード承諾画面が、それぞれディスプレイ２４に表示されるようになっている。
【００３２】
図８に示されるトレード放出画面は、プレイヤが自分の有するゲームキャラクタデータのなかから交換先候補とするゲームキャラクタデータを設定するための画面である。ゲームキャラクタデータが交換先候補として設定されると、当該ゲームキャラクタデータに対する交換申し込みの受付が開始される。すなわち、同画面は、プレイヤが手放してもよいゲームキャラクタデータを指定する（ゲームキャラクタデータを出品する）ための画面である。同画面では、プレイヤがゲームサーバ２０にアップロードしたゲームキャラクタデータのゲームキャラクタ名が表示される。すでに交換先候補として設定されたもの（すなわち、交換申し込みの受付を開始しているもの）や、他のプレイヤに対する交換申し込みにおいて交換対象として指定したものは表示されないようになっている。プレイヤがゲームキャラクタデータを選択すると、図９に示すようなトレード放出実行画面が表示される。
【００３３】
図９に示されるトレード放出実行画面は、トレード放出画面において選択したゲームキャラクタデータを放出する際に、その代わりとして手に入れたいゲームキャラクタデータのゲームキャラクタ種類を選択するための画面である。同画面では、このゲームに登場するゲームキャラクタ名（種類）が表示される。同画面で選択できるゲームキャラクタは１種類であっても、複数種類であってもよい。また、ゲームキャラクタ種類だけでなく、レベル等のパラメータに関するパラメータ条件を指定できるようにしてもよい。本実施形態では、同画面においてゲームキャラクタを１種類選択できるようになっている。プレイヤがゲームキャラクタ種類を選択すると、同画面やトレード放出画面においてなされた選択内容がゲームサーバ２０に送信され、ゲームデータベース２２に登録される。以上の選択内容が登録されると、交換先候補として設定されたゲームキャラクタデータの交換申し込みの受付が開始される。以上の操作を実行したプレイヤは、他のプレイヤからの交換申し込みを待つことになる。
【００３４】
図１０に示されるトレード申込画面は、他のプレイヤにゲームキャラクタデータの交換を申し込むための画面である。同画面では、他のプレイヤが交換申し込みの受付を開始しているゲームキャラクタデータ（他のプレイヤによって交換先候補として設定されたゲームキャラクタデータ）に係るゲームキャラクタ名（種類）が表示される。同画面においてプレイヤは、交換によって獲得したいゲームキャラクタ種類を選択する。プレイヤがゲームキャラクタ種類を選択すると、図１１に示すようなトレード申込実行画面が表示される。
【００３５】
図１１に示されるトレード申込実行画面では、トレード申込画面において選択したゲームキャラクタ種類のゲームキャラクタデータについて交換申し込みを受け付けている各プレイヤが交換対象として希望するゲームキャラクタ名（種類）が表示される。同画面においてプレイヤは、トレード申込画面で選択したゲームキャラクタ種類のゲームキャラクタデータを入手するために手放してもよいゲームキャラクタデータを選択する。ここでプレイヤが選択できるのは、ゲームサーバ２０にアップロードしているゲームキャラクタデータである。プレイヤがゲームキャラクタデータを選択すると、同画面やトレード申込画面においてなされた選択内容がゲームサーバ２０に送信される。そして、その選択内容に基づいて、交換組合せがゲームデータベース２２に登録される。その交換組合せの内容はメール等によって交換相手のプレイヤに通知される。
【００３６】
図１２に示されるトレード承諾画面は、他のプレイヤから交換を申し込まれたプレイヤがその申し込みを承諾するか否かを決定するための画面である。同画面では、プレイヤが交換先候補として設定した（手放すことにした）ゲームキャラクタデータのゲームキャラクタ名（種類）に関連づけて、当該ゲームキャラクタデータに対する交換申し込みの内容が表示される。本実施形態では、交換を申し込んできたプレイヤが手放そうとしているゲームキャラクタ名と、その交換申し込みがなされた日が表示されるようになっている。プレイヤがいずれかを選択すると、図１３に示されるトレード承諾実行画面が表示される。
【００３７】
図１３に示されるトレード承諾実行画面には、交換相手のプレイヤが手放そうとしているゲームキャラクタデータ（すなわち、プレイヤが交換によって入手することになるゲームキャラクタデータ）の詳細情報、「承諾」ボタン及び「拒絶」ボタンが表示される。詳細情報は、例えばゲームキャラクタの各種属性情報等である。同画面においてプレイヤは、この詳細情報を参照し、当該交換申し込みを承諾するか拒絶するかを決定する。プレイヤが「承諾」又は「拒絶」ボタンを選択すると、同画面及びトレード承諾画面においてなされた選択内容がゲームサーバ２０に送信される。そして、ゲームサーバ２０では、選択されたボタンに応じた処理（図１６参照）が実行される。
【００３８】
以上の交換サイトにおいて新たに獲得したゲームキャラクタのデータは、ゲームデータベース２２に記憶されている。プレイヤは任意のタイミングで「交易所」コマンド（図６参照）を実行することによって、このゲームキャラクタデータを携帯電話機１２にダウンロードすることができる。特に、他のプレイヤからの交換申し込みを承諾したプレイヤは、承諾した後すぐにゲームキャラクタデータを携帯電話機１２にダウンロードすることができる。ゲームキャラクタデータが携帯電話機１２にダウンロードされると、そのゲームキャラクタは仲間の一員として登録されるようになっている。
【００３９】
次に、ゲームシステム１０を実現するための機能ブロックについて説明する。図１４は、ゲームシステム１０で実現される機能ブロックのうち、本発明に関するものを中心として示す図である。
【００４０】
同図に示すように、ゲームシステム１０で実現される機能には、交換データ送信部３０、交換済みデータ受信部３２、交換データ受信部４０、交換組合せ設定部４２、承諾指示部４３、交換済みデータ送信部４８、交換データ変更部５０及び記憶部５２が含まれている。承諾指示部４３には、承諾案内部４４及び承諾結果受付部４６が含まれている。記憶部５２には、交換データ記憶部５４及び日時情報記憶部５６が含まれている。なお、交換データ変更部５０及び日時情報記憶部５６は、必ずしも必要な構成ではない。
【００４１】
このうち、記憶部５２は、主としてゲームデータベース２２により構成される。また、交換データ送信部３０、交換済みデータ受信部３２、交換データ受信部４０、承諾結果受付部４６及び交換済みデータ送信部４８は、公知の通信インタフェースを含んで構成される。他の機能は、コンピュータであるゲームサーバ２０がＣＤ−ＲＯＭ、ＤＶＤ（商標）−ＲＯＭ、メモリカード等のコンピュータ読み取り可能な各種情報記憶媒体を介して提供されるプログラムを実行したり、コンピュータである携帯電話機１２がゲームプログラムを実行することによって実現される。
【００４２】
交換データ受信部４０は、携帯電話機１２の交換データ送信部から送信されるプレイヤ識別情報（プレイヤＩＤ）及び交換データ（ゲームキャラクタデータ）を受信する。交換データ受信部４０によって受信されたプレイヤ識別情報及び交換データは、記憶部５２に記憶される。
【００４３】
交換データ記憶部５４は、交換データ受信部４０によって受信されるプレイヤ識別情報と交換データとを対応づけて記憶する。日時情報記憶部５６は、交換データ記憶部５４に記憶される交換データのうち少なくとも１つが交換先候補として設定される場合、当該交換データに対応づけて、当該交換データが交換先候補として設定された日時に基づく日時情報を記憶する。また、日時情報記憶部５６は、交換データに対応づけて、当該交換データが交換データ記憶部５４に記憶された日時に基づく日時情報を記憶するようにしてもよい。なお、日時情報は、交換先候補として設定された日時（又は交換データ記憶部５４に記憶された日時）そのものを示すものであってもよいし、その日時に所定時間（期間）を加えた日時を示すものであってもよい。また、日時情報は、日付のみを示すものであってもよい。
【００４４】
記憶部５２は、例えば図１５に示すようなゲームキャラクタデータテーブルを記憶する。同図に示すように、ゲームキャラクタデータテーブルには「ゲームキャラクタデータＩＤ」、「プレイヤＩＤ（プレイヤ識別情報）」、「ゲームキャラクタＩＤ」、「パラメータ情報」、「交換申込受付中フラグ」、「交換申込受付開始日時」、「希望ゲームキャラクタＩＤ」、「交換申込中フラグ」、「交換申込日時」、「交換申込先ゲームキャラクタデータＩＤ」及び「交換結果フラグ」が記憶されている。これらは、「交易所」コマンド（図６参照）によって、ゲームキャラクタデータがゲームサーバ２０にアップロードされると、ゲームキャラクタデータ及び関連する情報がゲームキャラクタデータテーブルに登録される。
【００４５】
「ゲームキャラクタデータＩＤ」は、ゲームキャラクタデータを識別するための情報である。「プレイヤＩＤ」は、当該ゲームキャラクタデータを所有するプレイヤを識別するための情報である。プレイヤＩＤは、携帯電話機１２を識別するための端末ＩＤであってもよい。「ゲームキャラクタＩＤ」は、ゲームキャラクタ種類を識別するための情報である。
【００４６】
「パラメータ情報」は、当該ゲームキャラクタのパラメータに関する情報（属性情報）を示すものである。パラメータ情報は、例えば工業、商業、漁業、武力、知力、素早さ、外交、内交、当該ゲームキャラクタに関連するメッセージ情報等である。また、パラメータ情報には、当該ゲームキャラクタを仲間にするための条件や当該ゲームキャラクタが仲間から離脱する条件等（属性条件）が含まれる。特に、パラメータ情報は、忠誠度パラメータを含んでいる。忠誠度パラメータの値は、ゲームの進行や当該ゲームキャラクタデータの交換の成否等によって変化する。仲間にしたゲームキャラクタの忠誠度パラメータの値が所定値を下回ると、そのゲームキャラクタは仲間から外れる（離脱する）ようになっている。
【００４７】
「交換申込受付中フラグ」は、当該ゲームキャラクタデータに対する交換申し込みを受付中であるか否か（交換先候補として設定されているか否か）を示している。トレード放出実行画面（図９参照）等によって、当該ゲームキャラクタデータの交換申し込みの受付が開始されると、「交換申込受付中フラグ」が受付中（「１」）を示すようになる。この場合、「交換申込受付開始日時」には、トレード放出実行画面等によって交換申し込みの受付が開始された日時（交換先候補として設定された日時）が、「希望ゲームキャラクタＩＤ」には、プレイヤが交換によって入手したいゲームキャラクタＩＤ（トレード放出実行画面において選択したゲームキャラクタ種類）が登録される。
【００４８】
「交換申込中フラグ」は、当該ゲームキャラクタデータを交換対象として、他のプレイヤに交換を申し込んでいるか否かを示している。トレード申込実行画面（図１１参照）等によって、当該ゲームキャラクタデータを交換対象とする交換申し込みがなされると、「交換申込中フラグ」が申込中（「１」）を示すようになる。この場合、「交換申込日時」には、トレード申込実行画面等によって交換を申し込んだ日時が、「交換申込先ゲームキャラクタデータＩＤ」には、交換申込先となるゲームキャラクタデータのＩＤ（トレード申込実行画面で選択したゲームキャラクタデータのＩＤ）が登録される。
【００４９】
「交換結果フラグ」は、他のプレイヤから交換申し込みを受け付けたり、他のプレイヤに交換を申し込んだりした場合の結果を示すものである。他のプレイヤから申し込まれた交換組合せを承諾したり、他のプレイヤに申し込んだ交換組合せが承諾されると、交換が成立となり、「交換結果フラグ」はその旨（「２」）を示すようになる。交換申し込みの受付を開始してから所定期間が経過したり、他のプレイヤに申し込んだ交換組合せが拒絶されると、交換が不成立となり、「交換結果フラグ」はその旨（「１」）を示すようになる。
【００５０】
交換組合せ設定部４２は、交換データ記憶部５４に記憶される交換データのうち少なくとも１つを交換先（交換申込先）と、交換データ記憶部５４に記憶される交換データのうち少なくとも１つを交換元（交換申込元）として指定する交換組合せを設定する。また、交換データ記憶部５４に記憶される交換データのうち少なくとも１つが交換先候補として設定されるような場合には、交換データ記憶部５４に交換先候補として記憶される交換データのうち少なくとも１つを交換先と、交換データ記憶部５４に記憶される交換データのうち少なくとも１つを交換元として指定する交換組合せを設定するようにしてもよい。例えば、交換組合せ設定部４２は、図８乃至図１１に示される画面をディスプレイ２４に表示させる。そして、これらの画面においてなされた選択内容等を取得し、その内容に基づいて交換組合せを設定する。
【００５１】
ここで、交換先の交換データとは、交換を申し込むプレイヤが入手を希望する交換データである。例えば、交換先の交換データは、トレード申込画面（図１０参照）等で選択されるゲームキャラクタのデータである。また、例えば、ゲームキャラクタデータテーブル（図１５参照）の「交換申込先ゲームキャラクタデータＩＤ」で指定されているゲームキャラクタデータである。
【００５２】
また、交換元の交換データとは、交換を申し込むプレイヤが手放す交換データである。例えば、交換元の交換データは、トレード申込実行画面（図１１参照）で選択されるゲームキャラクタのデータである。また、例えば、ゲームキャラクタデータテーブル（図１５参照）の「交換申込先ゲームキャラクタデータＩＤ」に他のゲームキャラクタデータＩＤが記憶されているゲームキャラクタデータである。
【００５３】
承諾案内部４４は、交換組合せに係る交換先の交換データに対応づけて交換データ記憶部５４に記憶されるプレイヤ識別情報によって識別されるプレイヤに対し、当該交換組合せを承諾するか否かを指定するよう案内する。例えば、承諾案内部４４は、図１２及び図１３に示される画面をディスプレイ２４に表示させる。
【００５４】
承諾結果受付部４６は、承諾案内部４４によって案内される交換組合せに対する承諾結果を受け付ける。承諾結果受付部４６は、ある交換データを交換先とする交換組合せが複数存在するような場合（ある交換データに対し、複数の交換申し込みがなされているような場合）において、複数の交換組合せのうち１つが承諾された場合には、承諾されたもの以外の交換組合せは承諾されなかったと判断する。
【００５５】
交換データ変更部５０は、承諾結果受付部４６によって受け付けられる承諾結果に基づいて、交換組合せに係る交換元の交換データと、交換組合せに係る交換先の交換データと、のうち少なくとも一方の内容を変更する。例えば、交換データ変更部５０は、承諾結果受付部４６によって受け付けられる承諾結果が交換組合せを承諾しないことを示す場合、当該交換組合せに係る交換元の交換データの内容を変更する。また、例えば、交換データ変更部５０は、交換データ記憶部５４に記憶される交換データの内容を、当該交換データに対応づけて日時情報記憶部５６に記憶される日時情報に基づいて変更する。また、例えば、交換データ変更部５０は、携帯電話機１２において交換データに基づく処理が当該交換データに含まれる属性情報に基づいて実行されるような場合には、交換データに含まれる属性情報を変更する。
【００５６】
さらに、例えば、交換データ変更部５０は、交換データがゲームキャラクタデータやゲームアイテデータ等であり、携帯電話機１２において、ゲームキャラクタデータ等に基づいてゲーム処理を実行され、ゲームキャラクタデータ等に含まれる属性情報に基づいて当該ゲーム処理の実行が制限されるような場合には、ゲームキャラクタデータ等に含まれる属性情報を変更する。この場合、属性情報は、例えばゲームキャラクタデータ等の状態を示すパラメータ、ゲームキャラクタデータ等に基づくゲーム処理において参照されるパラメータ、ゲームキャラクタデータ等に基づくゲーム処理に変化を与えるパラメータや、ゲームにおいてゲームキャラクタやゲームアイテム等が発揮する能力を示すパラメータ等を含むものである。
【００５７】
交換済みデータ送信部４８は、承諾結果受付部４６によって受け付けられる承諾結果に基づいて、交換組合せに係る交換先の交換データを、当該交換組合せに係る交換元の交換データに対応づけて交換データ記憶部５４に記憶されるプレイヤ識別情報によって識別されるプレイヤの端末（携帯電話機１２）に、当該交換組合せに係る交換元の交換データを、当該交換組合せに係る交換先の交換データに対応づけて交換データ記憶部５４に記憶されるプレイヤＩＤによって識別されるプレイヤの端末に、それぞれ送信する。端末では、交換済みデータ受信部３２が、交換済みデータ送信部４８によって送信される交換データを受信し、端末に備えられる不揮発性メモリに記憶させる。
【００５８】
交換済みデータ送信部４８が交換済みのデータを送信するタイミングは、携帯電話機１２からダウンロード要求を受け付けた場合としてもよいし、承諾されたことを示す承諾結果を承諾結果受付部４６が受け付けた場合としてもよい。前者の場合、承諾されたことを示す承諾結果を承諾結果受付部４６が受け付けたら、交換データ記憶部５４に記憶されるプレイヤ識別情報と交換データとの対応関係を変更する（入れ替える）ようにすればよい。後者の場合、承諾したプレイヤに対しては、直ちに交換済みのデータがダウンロードされるようにしてもよい。また、後者の場合、両プレイヤに対して、交換済みデータをメールで送信するようにしてもよい。
【００５９】
次に、プレイヤがゲームキャラクタ（データ）の交換を行う過程において、携帯電話機１２やゲームサーバ２０で実行される処理について説明する。
【００６０】
プレイヤは、自分が仲間にしたゲームキャラクタのデータを他のプレイヤが仲間にしたゲームキャラクタのデータと交換するために、まず「交易所」コマンド（図６参照）を実行する。「交易所」コマンドが実行されると、交換データ送信部３０が携帯電話機１２に記憶されるゲームキャラクタデータをプレイヤＩＤとともに、ゲームデータ管理装置１８に送信する。ゲームデータ管理装置１８では、交換データ受信部４０が、プレイヤＩＤとゲームキャラクタデータとを受信し、交換データ記憶部５４に記憶されるゲームキャラクタデータテーブル（図１５参照）に登録する。
【００６１】
ゲームキャラクタデータがゲームデータ管理装置１８にアップロードされる場合には、当該ゲームキャラクタデータは携帯電話機１２から削除されるようになっている。このため、同じゲームキャラクタデータが携帯電話機１２とゲームデータ管理装置１８とで重複管理されることによって発生する不具合を抑制することができるようになっている。例えば、同じゲームキャラクタデータが何度もアップロードされることによって、重複出品されることを防止することができる。
【００６２】
ゲームキャラクタデータをアップロードしたプレイヤは、交換サイトのトレード放出画面（図８参照）及びトレード放出実行画面（図９参照）にアクセスし、手放してもよいゲームキャラクタデータ等を選択する。
【００６３】
ゲームデータ管理装置１８は、トレード放出画面（図８参照）をディスプレイ２４に表示させるために、ａ）「プレイヤＩＤ」が当該プレイヤを示すこと、ｂ）「交換申込受付中フラグ」が受付中を示していないこと、ｃ）「交換申込中フラグ」が申込中を示していないこと、の条件を満足するレコードをゲームキャラクタデータテーブル（図１５参照）から読み出す。そして、読み出したレコードの「ゲームキャラクタデータＩＤ」や「ゲームキャラクタＩＤ」等に基づいて画面データを生成し、携帯電話機１２に送信する。
【００６４】
これらの画面において選択された内容（ゲームキャラクタＩＤやゲームキャラクタデータＩＤ等）は、ゲームデータ管理装置１８に送信される。ゲームデータ管理装置１８では、交換組合せ設定部４２が、これらの情報に基づいて、ゲームキャラクタデータテーブル（図１５参照）の「交換申込受付中フラグ」、「交換申込受付開始日時」及び「希望ゲームキャラクタＩＤ」を更新する。
【００６５】
他のプレイヤに交換を申し込みたいプレイヤは、交換サイトのトレード申込画面（図１０参照）及びトレード申込実行画面（図１１参照）にアクセスし、交換申し込み先等を選択する。
【００６６】
ゲームデータ管理装置１８は、トレード申込画面（図１０参照）をディスプレイ２４に表示させるために、ａ）「プレイヤＩＤ」が当該プレイヤを示さないこと、ｂ）「交換申込受付中フラグ」が受付中を示していること、の条件を満足するレコードを読み出す。そして、読み出したレコードの「ゲームキャラクタデータＩＤ」や「ゲームキャラクタＩＤ」等に基づいて画面データを生成し、携帯電話機１２に送信する。
【００６７】
また、ゲームデータ管理装置１８は、トレード申込実行画面（図１１参照）をディスプレイ２４に表示させるために、ａ）「プレイヤＩＤ」が当該プレイヤを示さないこと、ｂ）「交換申込受付中フラグ」が受付中を示していること、ｃ）「ゲームキャラクタＩＤ」がトレード申込画面で選択されたゲームキャラクタ種類を示すこと、の条件を満足するレコードを読み出す。そして、読み出したレコードの「ゲームキャラクタデータＩＤ」や「希望ゲームキャラクタＩＤ」等に基づいて画面データを生成し、携帯電話機１２に送信する。
【００６８】
これらの画面において選択された内容（交換先及び交換元のゲームキャラクタデータＩＤ等）は、ゲームデータ管理装置１８に送信される。ゲームデータ管理装置１８では、交換組合せ設定部４２が、これらのゲームキャラクタデータＩＤに基づいて、ゲームキャラクタデータテーブル（図１５参照）の「交換申込中フラグ」と「交換申込先ゲームキャラクタＩＤ」を更新する。すなわち、ゲームキャラクタデータテーブルに交換組合せが登録される。そして、承諾案内部４４は、当該他のプレイヤのメールアドレスをユーザ情報等から取得し、交換組合せの内容（交換申し込みがあった旨）をメールで通知する。
【００６９】
他のプレイヤから交換を申し込まれたプレイヤ（承諾案内部４４によって送信されたメールを受信したプレイヤ）は、交換サイトのトレード承諾画面（図１２参照）及びトレード承諾実行画面（図１３参照）にアクセスし、交換申し込み（交換組合せ）を承諾するか否かを指定する。
【００７０】
承諾案内部４４は、トレード承諾画面（図１２参照）をディスプレイ２４に表示させるために、ａ）「プレイヤＩＤ」が当該プレイヤを示すこと、ｂ）「交換申込受付中フラグ」が受付中を示すこと、の条件に該当するレコードを読み出す。そして、読み出した各レコードの「ゲームキャラクタデータＩＤ」を「交換申込先ゲームキャラクタデータＩＤ」とするレコードをさらに読み出す。そして、読み出したレコードの「ゲームキャラクタデータＩＤ」、「ゲームキャラクタＩＤ」や「交換申込日時」等に基づいて画面データを生成し、携帯電話機１２に送信する。
【００７１】
また、承諾案内部４４は、トレード承諾実行画面（図１３参照）をディスプレイ２４に表示させるために、トレード承諾画面（図１２参照）において選択されたゲームキャラクタデータのＩＤを「ゲームキャラクタデータＩＤ」とするレコードを読み出す。そして、読み出したレコードに基づいて画面データを生成し、携帯電話機１２に送信する。
【００７２】
これらの画面において承諾するか否かが指定されると、交換先のゲームキャラクタデータＩＤ、交換元のゲームキャラクタデータＩＤ及び承諾結果を含む承諾処理要求がゲームデータ管理装置１８に送信される。承諾処理要求を受信したゲームデータ管理装置１８では、図１６に示される処理が実行される。本処理は、ゲームサーバ２０においてプログラムが実行されることによって実現される。
【００７３】
同図に示すように、ゲームサーバ２０は、承諾処理要求に含まれる承諾結果が承諾されたことを示すか否か（拒絶されたことを示すか）を判断する（Ｓ１０１）。拒絶されたことを承諾結果が示す場合には、承諾処理要求に含まれる交換元のゲームキャラクタデータＩＤによって識別されるゲームキャラクタデータの忠誠度パラメータの値を変更する（Ｓ１０５）。具体的には、「ゲームキャラクタデータＩＤ」が交換元のゲームキャラクタデータＩＤであるレコードをゲームキャラクタデータテーブル（図１５参照）から読み出し、「パラメータ情報」の忠誠度パラメータの値を下げるように更新する。また、この場合、「交換結果フラグ」を交換不成立（「１」）を示すように、「交換申込中フラグ」、「交換申込日時」及び「交換申込先ゲームキャラクタデータＩＤ」を初期化するように更新する。
【００７４】
一方、承諾されたことを承諾結果が示す場合には、承諾処理要求に含まれる交換先のゲームキャラクタデータＩＤに対する他の交換組合せ（承諾処理要求に含まれる交換元のゲームキャラクタデータＩＤ以外を交換元とする交換申し込み）が存在するか否かを判断する（Ｓ１０２）。具体的には、ゲームキャラクタデータテーブル（図１５参照）に、「交換申込先ゲームキャラクタデータＩＤ」が交換先のゲームキャラクタデータＩＤであるレコードが他にも存在するか否かを確認する。
【００７５】
他の交換組合せが存在する場合には、当該他の交換組合せに係る交換元のゲームキャラクタデータの忠誠度パラメータの値を変更する（Ｓ１０３）。具体的には、「交換申込先ゲームキャラクタデータＩＤ」が交換先のゲームキャラクタデータＩＤであるレコードをゲームキャラクタデータテーブル（図１５参照）から読み出し、「パラメータ情報」の忠誠度パラメータの値を下げるように更新する。また、この場合、「交換結果フラグ」を交換不成立（「１」）を示すように、「交換申込中フラグ」、「交換申込日時」及び「交換申込先ゲームキャラクタデータＩＤ」を初期化するように更新する。これらの処理を該当する全てのレコードについて実行する。
【００７６】
このように、ゲームシステム１０では、他のプレイヤに交換を申し込み、その申し込みが断られると、手放すはずであったゲームキャラクタの忠誠度パラメータの値が下がるようになっている。このため、ゲームキャラクタデータの交換に緊張感を与えることができ、ゲームキャラクタデータの交換の面白さを向上させることができる。
【００７７】
一方、Ｓ１０２において他の交換組合せが存在しないと判断された場合や、Ｓ１０３における処理が完了した場合には、交換済みデータ送信部４８は、承諾処理実行要求に含まれる交換先のゲームキャラクタデータＩＤによって識別されるゲームキャラクタデータと、交換元のゲームキャラクタデータＩＤによって識別されるゲームキャラクタデータとの交換処理を実行する（Ｓ１０４）。具体的には、「ゲームキャラクタデータＩＤ」が交換先のゲームキャラクタデータＩＤであるレコードと、「ゲームキャラクタデータＩＤ」が交換元のゲームキャラクタデータＩＤであるレコードとでプレイヤＩＤを入れ替えるように、ゲームキャラクタデータテーブル（図１５参照）を更新する。また、この場合、両レコードの「交換結果フラグ」を交換成立（「２」）を示すように、「交換申込受付フラグ」、「交換申込受付開始日時」、「希望ゲームキャラクタＩＤ」、「交換申込中フラグ」、「交換申込日時」及び「交換申込先ゲームキャラクタデータＩＤ」を初期化するように更新する。
【００７８】
以上で本処理は終了し、ゲームキャラクタデータの交換は完了する。プレイヤは、交換によって入手したゲームキャラクタデータを携帯電話機１２にダウンロードするために、「交易所」コマンド（図６参照）を実行する。「交易所」コマンドが実行されると、ゲームデータ管理装置１８では、交換済みデータ送信部４８がゲームキャラクタデータを携帯電話機１２に送信する。携帯電話機１２では、交換済みデータ受信部３２がゲームキャラクタデータを受信し、携帯電話機１２の不揮発メモリに記憶させる。そして、そのゲームキャラクタデータに係るゲームキャラクタが仲間の一員として登録されるようにゲームデータが更新される。
【００７９】
このように、ゲームシステム１０では、ゲームキャラクタデータの交換に係るいずれの過程においても、プレイヤ同士が相互に通信接続したり、交換サイトに同時にアクセスしたりする必要がない。ゲームキャラクタデータの交換が完了すると、プレイヤは、新たに入手したゲームキャラクタデータを、任意のタイミングで携帯電話機１２にダウンロードすることができる。例えば、他のプレイヤからの交換申し込み（交換組合せ）を承諾したプレイヤは、承諾した後すぐにダウンロードすることができる。このため、ゲームキャラクタデータの交換を円滑にすることができるようになる。
【００８０】
なお、ゲームシステム１０では、あるゲームキャラクタ（ゲームキャラクタデータ）について交換申し込みの受付が開始された後、所定期間内にその交換が成立しない場合（期間内に申し込みがない場合や申し込みをすべて拒絶した場合等）には、当該ゲームキャラクタの忠誠度パラメータの値が下げられるようになっている。この場合、当該ゲームキャラクタの交換申し込みの受付も終了する（交換先候補としての設定が取り消される）ようになっている。以上を実現するために、ゲームサーバ２０では図１７に示される処理が実行される。本処理は、任意のタイミング（例えば、毎日の所定時刻）で実行されるものであり、ゲームサーバ２０においてプログラムが実行されることによって実現される。
【００８１】
同図に示すように、まず、交換申し込み受付中のゲームキャラクタデータ（交換先候補として設定されているゲームキャラクタデータ）情報を読み出す（Ｓ２０１）。具体的には、「交換申込受付中フラグ」が受付中を示すレコードをゲームキャラクタデータテーブル（図１５参照）から読み出す。該当するレコードが存在しない場合には、本処理を終了する（Ｓ２０２）。
【００８２】
次に、読み出したレコードの「申込受付開始日時」を取得し（Ｓ２０３）、その日時から所定期間を経過しているか否かを判断する（Ｓ２０４）。所定期間を経過している場合には、「パラメータ情報」の忠誠度パラメータの値を変更する（Ｓ２０５）。具体的には、パラメータ情報の忠誠度パラメータの値を下げるように更新する。また、この場合、「交換結果フラグ」を交換不成立（「１」）を示すように、「交換申込受付中フラグ」、「交換申込受付開始日時」及び「希望ゲームキャラクタＩＤ」を初期化するように更新する。
【００８３】
さらに、この場合、読み出したレコードのゲームキャラクタデータに対する交換申し込みが既になされているのであれば、それらの交換申し込みを取り消す。具体的には、読み出したレコードの「ゲームキャラクタデータＩＤ」を「交換申込先ゲームキャラクタデータＩＤ」とするレコードの「交換申込中フラグ」、「交換申込日時」及び「交換申込先ゲームキャラクタデータＩＤ」を初期化するように更新する。
【００８４】
そして、Ｓ２０４において所定期間を経過していないと判断された場合や、Ｓ２０５の処理が終了した場合には、次のゲームキャラクタデータ情報（交換申し込み受付中のゲームキャラクタデータ情報）を読み出す（Ｓ２０６）。具体的には、Ｓ２０１の場合と同様である。次のレコードが存在しない場合には、本処理を終了する。次のレコードが存在する場合には、読み出したレコードについて、Ｓ２０３乃至Ｓ２０５の処理を実行する。
【００８５】
このように、ゲームシステム１０では、あるゲームキャラクタについて交換申し込みの受付が開始された後、所定期間を経過した場合には、当該ゲームキャラクタの忠誠度パラメータの値が下げられるようになっている。このため、ゲームキャラクタデータの交換に緊張感を与えることができ、ゲームキャラクタデータの交換の面白さを向上させることができる。
【００８６】
以上説明したように、本発明の実施形態に係るゲームシステム１０によれば、ゲームキャラクタデータの交換が完了すると、プレイヤは、新たに入手したゲームキャラクタデータを、他のプレイヤに影響されることなく任意のタイミングで、携帯電話機１２にダウンロードすることができるようになる。例えば、他のプレイヤからの交換申し込みを承諾したプレイヤは、承諾した後すぐにダウンロードすることができる。このため、ゲームキャラクタデータの交換を円滑化することができるようになる。
【００８７】
なお、本発明は上記実施の形態に限定されるものではない。
【００８８】
例えば、以上の説明では、携帯電話機１２にゲームプログラムを供給するのにデータ通信ネットワークを利用したが、ＣＤ−ＲＯＭ、ＤＶＤ（商標）−ＲＯＭ、メモリカード等のコンピュータ読み取り可能な各種情報記憶媒体を利用するようにしてもよい。また、上記実施形態に係るゲームプログラムは、携帯電話機１２だけでなく、例えばパーソナルコンピュータ、家庭用ゲーム機、業務用ゲーム機、携帯ゲーム機、携帯情報端末等、他の種類のコンピュータによって実行されるようにしてもよい。
【００８９】
また、以上の説明では、交換データをロールプレイングゲームにおけるゲームキャラクタのデータとして説明したが、交換データはゲームキャラクタデータに限られない。例えば、交換データはゲームアイテムデータであってもよい。また、交換データは、ゲーム状況を示すデータやゲーム状況を更新するためのデータ等のゲームデータであってもよい。さらに、交換データは、例えば画像データ、音楽（音声）データ、動画データ、文字データ、ゲームプログラム等の各種データであってもよい。
【００９０】
また、以上の説明では、データの交換は、１つのデータと１つのデータとの交換として説明したが、１つのデータと複数のデータとの交換、複数のデータと複数のデータとの交換であってもよい。
【００９１】
また、以上の説明では、トレード承諾画面（図１２参照）及びトレード承諾実行画面（図１３参照）によって、交換組合せを承諾するか否かを指定するよう案内することし、トレード承諾実行画面においてなされた指定内容をゲーム管理装置１８が受信することによって、交換組合せに対する承諾結果を受け付けることとしたが、これらの案内や受付は、電子メール等の他の通信方法によって行われるようにしてもよい。例えば、交換組合せを承諾するか否かを指定させるための案内は、データ管理装置１８を介さずに、交換を申し込むプレイヤの携帯電話機１２から交換を申し込まれるプレイヤの携帯電話機１２に電子メールを送信することによって行われるようにしてもよい。
【００９２】
【発明の効果】
以上説明したように、本発明によれば、プレイヤ間におけるデータの交換を円滑化することができるようになる。
【図面の簡単な説明】
【図１】  本発明の実施形態に係るゲームシステムの全体構成を示す図である。
【図２】  メインメニュー画面の一例を示す図である。
【図３】  サブメニュー画面の一例を示す図である。
【図４】  サブメニュー画面の一例を示す図である。
【図５】  サブメニュー画面の一例を示す図である。
【図６】  サブメニュー画面の一例を示す図である。
【図７】  メニュー画面の一例を示す図である。
【図８】  トレード放出画面の一例を示す図である。
【図９】  トレード放出実行画面の一例を示す図である。
【図１０】  トレード申込画面の一例を示す図である。
【図１１】  トレード申込実行画面の一例を示す図である。
【図１２】  トレード承諾画面の一例を示す図である。
【図１３】  トレード承諾実行画面の一例を示す図である。
【図１４】  本発明の実施形態に係るゲームシステムの機能ブロック図である。
【図１５】  ゲームキャラクタデータテーブルの一例を示す図である。
【図１６】  ゲームサーバにおける処理を示す図である。
【図１７】  ゲームサーバにおける処理を示す図である。
【符号の説明】
１０  ゲームシステム、１２  携帯電話機、１４  携帯電話基地局、１６  データ通信ネットワーク、１８  ゲームデータ管理装置、２０  ゲームサーバ、２２  ゲームデータベース、２４  ディスプレイ、２６  方向キー、２８  ファンクションボタン、２９  丸ボタン群、３０  交換データ送信部、３２  交換済みデータ受信部、４０  交換データ受信部、４２  交換組合せ設定部、４３  承諾指示部、４４  承諾案内部、４６  承諾結果受付部、４８  交換済みデータ送信部、５０  交換データ変更部、５２  記憶部、５４  交換データ記憶部、５６日時情報記憶部。
【図１】
0003659501.tif 000002
【図２】
0003659501.tif 000003
【図３】
0003659501.tif 000004
【図４】
0003659501.tif 000005
【図５】
0003659501.tif 000006
【図６】
0003659501.tif 000007
【図７】
0003659501.tif 000008
【図８】
0003659501.tif 000009
【図９】
0003659501.tif 000010
【図１０】
0003659501.tif 000011
【図１１】
0003659501.tif 000012
【図１２】
0003659501.tif 000013
【図１３】
0003659501.tif 000014
【図１４】
0003659501.tif 000015
【図１５】
0003659501.tif 000016
【図１６】
0003659501.tif 000017
【図１７】
0003659501.tif 000018